【手続補正書】
【提出日】平成16年10月19日(2004.10.19)
【手続補正１】
【補正対象書類名】明細書
【補正対象項目名】発明の名称
【補正方法】変更
【補正の内容】
【発明の名称】ネットワーク装置及び制御方法
【手続補正２】
【補正対象書類名】明細書
【補正対象項目名】特許請求の範囲
【補正方法】変更
【補正の内容】
【特許請求の範囲】
【請求項１】
記録再生装置と、
前記記録再生装置を制御する制御手段とを有し、
前記制御手段は、所定の負荷装置の作動状態に応じて前記記録再生装置の起動を制御することを特徴とするネットワーク装置。
【請求項２】
前記制御手段は、前記所定の負荷装置が作動を開始してから所定時間が経過するまでの間、前記記録再生装置を起動させないように制御することを特徴とする請求項１に記載のネットワーク装置。
【請求項３】
請求項１又は２に記載のネットワーク装置を有することを特徴とする自動車。
【請求項４】
前記制御手段は、前記所定の負荷装置が作動を開始してから作動を停止するまでの間、前記記録再生装置を起動できるように制御することを特徴とする請求項１に記載のネットワーク装置。
【請求項５】
請求項１又は４に記載のネットワーク装置を有することを特徴とするエアコン。
【請求項６】
前記制御手段は、前記所定の負荷装置が作動を停止しているときに前記記録再生装置を起動できるように制御することを特徴とする請求項１に記載のネットワーク装置。
【請求項７】
請求項１又は６に記載のネットワーク装置を有することを特徴とする冷蔵庫。
【請求項８】
記録再生装置と、
前記記録再生装置を制御する制御手段とを有するネットワーク装置を制御する制御方法であって、
所定の負荷装置の作動状態に応じて前記記録再生装置の起動を制御することを特徴とする制御方法。
【請求項９】
前記所定の負荷装置が作動を開始してから所定時間が経過するまでの間、前記記録再生装置を起動させないように制御することを特徴とする請求項８に記載の制御方法。
【請求項１０】
請求項８又は９に記載の制御方法を実行することを特徴とする自動車。
【請求項１１】
前記所定の負荷装置が作動を開始してから作動を停止するまでの間、前記記録再生装置を起動できるように制御することを特徴とする請求項８に記載の制御方法。
【請求項１２】
請求項８又は１１に記載の制御方法を実行することを特徴とするエアコン。
【請求項１３】
前記所定の負荷装置が作動を停止しているときに前記記録再生装置を起動できるように制御することを特徴とする請求項８に記載の制御方法。
【請求項１４】
請求項８又は１３に記載の制御方法を実行することを特徴とする冷蔵庫。
【手続補正３】
【補正対象書類名】明細書
【補正対象項目名】０００１
【補正方法】変更
【補正の内容】
【０００１】
【発明の属する技術分野】
本発明は、ハードディスク装置等の記録再生装置を有するネットワーク装置等に関する。
【手続補正４】
【補正対象書類名】明細書
【補正対象項目名】０００６
【補正方法】変更
【補正の内容】
【０００６】
そこで、本発明は、所定の負荷装置による電源電圧変動の影響を受けにくくし、ハードディスク装置等の記録再生装置へのアクセスを安定させるようにすることを第１の目的とする。
【手続補正５】
【補正対象書類名】明細書
【補正対象項目名】０００７
【補正方法】変更
【補正の内容】
【０００７】
また、本発明は、所定の負荷装置による騒音とハードディスク装置等の記録再生装置による騒音とが交互に発生することを防ぐようにすることを第２の目的とする。
【手続補正６】
【補正対象書類名】明細書
【補正対象項目名】０００８
【補正方法】変更
【補正の内容】
【０００８】
また、本発明は、所定の負荷装置による機械的振動の影響を受けにくくし、ハードディスク装置等の記録再生装置へのアクセスを安定させるようにすることを第３の目的とする。
【手続補正７】
【補正対象書類名】明細書
【補正対象項目名】０００９
【補正方法】変更
【補正の内容】
【０００９】
【課題を解決するための手段】
本発明のネットワーク装置は、記録再生装置と、前記記録再生装置を制御する制御手段とを有し、前記制御手段は、所定の負荷装置の作動状態に応じて前記記録再生装置の起動を制御することを特徴とする。
また、本発明の制御方法は、記録再生装置と、前記記録再生装置を制御する制御手段とを有するネットワーク装置を制御する制御方法であって、所定の負荷装置の作動状態に応じて前記記録再生装置の起動を制御することを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
【発明の実施の形態】
（実施形態１）
図１は本発明の実施形態１に係る自動車のブロック図である。１００は車体、１０１は電源、１０２は自動車の機能を制御するカーＣＰＵ、１０３は電動ラジエターファン、１０４はスタータモータ、１０５はエアコン、１０６はヘッドライト、１０７は車載ネットワークサーバー、１０８は車載ネットワークサーバー装置全体を制御するサーバーＣＰＵ、１０９はハードディスク装置である。１１０は外部ネットワークと無線通信する無線モデム、１１１はカーナビゲーション、１１２は電源ラインである。
【手続補正１４】
【補正対象書類名】明細書
【補正対象項目名】００２０
【補正方法】変更
【補正の内容】
【００２０】
（実施形態２）
図４は本発明の実施形態２に係る家庭内ＬＡＮとエアコンのブロック図である。４００はエアコン、４０１はエアコンの機能を制御する空調制御ＣＰＵ、４０２は送風モーター、４０３はエアコン搭載ネットワークサーバー、４０４はエアコン搭載ネットワークサーバー装置全体を制御するサーバー制御ＣＰＵ、４０５はハードディスク装置である。４０６、４０７は電力線搬送通信ネットワーク対応コンセント。４０８は電力線搬送通信ネットワーク対応冷蔵庫。４０９はネットワーク上で、媒体やプロトコルが異なるデータを相互に変換して通信を可能にするゲートウェーである。４１０はネットワーク接続されたパーソナルコンピュータ（ＰＣ）で、ネットワークサーバー４０３とデータの入出力が出来る。４１１は電力線搬送通信ネットワーク対応電源ラインである。４１２は電力計、４１３は電力供給元である電力会社である。４１４はネットワークプロバイダである。
【手続補正１５】
【補正対象書類名】明細書
【補正対象項目名】００２５
【補正方法】変更
【補正の内容】
【００２５】
（実施形態３）
図７は本発明の実施形態３に係る家庭内ＬＡＮと冷蔵庫のブロック図である。７００は冷蔵庫、７０１は冷蔵庫の機能を制御する冷蔵制御ＣＰＵ、７０２は冷媒コンプレッサー、７０３は冷蔵庫搭載ネットワークサーバー、７０４は冷蔵庫搭載ネットワークサーバー装置全体を制御するサーバー制御ＣＰＵ、７０５はハードディスク装置である。７０６、７０７は電力線搬送通信ネットワーク対応コンセント。７０８は電力線搬送通信ネットワーク対応ＴＶ。７０９はネットワーク上で、媒体やプロトコルが異なるデータを相互に変換して通信を可能にするゲートウェーである。７１０はネットワーク接続されたパーソナルコンピュータ（ＰＣ）で、ネットワークサーバー７０３とデータの入出力が出来る。７１１は電力線搬送通信ネットワーク対応電源ラインである。７１２は電力計、７１３は電力供給元である電力会社である。７１４はネットワークプロバイダである。
【手続補正１６】
【補正対象書類名】明細書
【補正対象項目名】００３０
【補正方法】変更
【補正の内容】
【００３０】
【発明の効果】
請求項１、２、３、８、９及び１０に係る発明によれば、所定の負荷装置による電源電圧変動の影響を受けにくくし、ハードディスク装置等の記録再生装置へのアクセスを安定させるようにすることができる。
【手続補正１７】
【補正対象書類名】明細書
【補正対象項目名】００３１
【補正方法】変更
【補正の内容】
【００３１】
また、請求項１、４、５、８、１１及び１２に係る発明によれば、所定の負荷装置による騒音とハードディスク装置等の記録再生装置による騒音とが交互に発生することを防ぐようにすることができる。
【手続補正１８】
【補正対象書類名】明細書
【補正対象項目名】００３２
【補正方法】変更
【補正の内容】
【００３２】
また、請求項１、６、７、８、１３及び１４に係る発明によれば、所定の負荷装置による機械的振動の影響を受けにくくし、ハードディスク装置等の記録再生装置へのアクセスを安定させるようにすることができる。